【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
伝送電極と、評価ユニットと結合されている所定の数の受信電極とを備えている容量タッチおよび非タッチ検出のためのセンサ配列であって、前記評価ユニットは、非タッチ検出モードと、タッチ検出モードとにおいて動作し、前記伝送電極は、交流電気近接場を発生させ、
前記非タッチ検出モードにおいて、前記評価ユニットは、前記受信電極からの信号を評価し、非タッチジェスチャまたは物体の３次元位置を決定し、
前記タッチ検出モードにおいて、前記所定の数の受信電極によって画定された表面タッチ検出エリアは、複数の区画に分割されており、各区画内で、前記所定の数の受信電極のうちの少なくとも２つの受信電極は、異なる電極表面積比率が前記複数の区画の各々のために形成されるように、それらの電極表面積の一部を用いて寄与し、
少なくとも１つの受信電極または前記伝送電極は、蛇行形状を有する、
センサ配列。
【請求項２】
各区画は、仮想タッチボタンを画定し、前記仮想タッチボタンの数は、前記受信電極の数より多い、請求項１に記載のセンサ配列。
【請求項３】
各区画は、２つの寄与受信電極を備え、区画内の前記２つの寄与受信電極の各々の電極表面積は、第１の表面積および第２の表面積から選択され、前記第１の表面積は、前記第２の表面積より大きい、請求項１に記載のセンサ配列。
【請求項４】
前記所定の数の受信電極は、５つであり、少なくとも４つの受信電極からの信号が、前記非タッチ検出モードにおいて使用される、請求項１に記載のセンサ配列。
【請求項５】
前記所定の数の電極は、４つであり、全４つの受信電極からの信号が、前記非タッチ検出モードにおいて使用される、請求項１に記載のセンサ配列。
【請求項６】
前記センサ配列は、前記非タッチモードで動作し、タッチ表面までの所定の閾値距離より近い物体の検出時、前記タッチ検出モードに自動的に切り替わる、請求項１に記載のセンサ配列。
【請求項７】
前記所定の数の受信電極は、交互配置方式で配列され、前記非タッチジェスチャ検出モードにおいて、前記所定の数の受信電極のうちの４つの受信電極は、フレーム状配列を提供する、請求項１に記載のセンサ配列。
【請求項８】
仮想タッチボタンのタッチは、前記複数の受信電極からの２つの寄与受信電極によってデコードされる、請求項１に記載のセンサ配列。
【請求項９】
前記２つの寄与受信電極は、それぞれの受信電極によって受信された信号の信号強度によって前記複数の受信電極から選択される、請求項８に記載のセンサ配列。
【請求項１０】
前記所定の数の受信電極は、５つであり、前記５つの受信電極は、交互配置方式で配列され、前記複数の区画を提供し、前記区画は、前記表面タッチ検出エリアを覆うマトリクスで配列されている、請求項１に記載のセンサ配列。
【請求項１１】
前記複数の受信電極のうちの２つは、追加のスライダ機能を提供する、請求項１０に記載のセンサ配列。
【請求項１２】
前記受信電極のうちの２つは、互いに組み合わせられた方式で配列され、各受信電極は、複数のフィンガを有し、各受信電極のフィンガの幅は、スライダ機能を提供するように変動させられている、請求項１に記載のセンサ配列。
【請求項１３】
各受信電極は、複数のフィンガを有し、対の受信電極は、ある線に沿って互いに組み合わせられた方式で配列され、隣接する区画の行を形成し、各区画は、仮想ボタンを画定する、請求項１に記載のセンサ配列。
【請求項１４】
前記線は、直線である、請求項１３に記載のセンサ配列。
【請求項１５】
前記線は、曲線である、請求項１３に記載のセンサ配列。
【請求項１６】
４つの電極が、交互配置方式で配列され、１２のタッチ場所を提供する、請求項１に記載のセンサ配列。
【請求項１７】
前記伝送電極および所定の数の受信電極は、同一層内に配列されている、請求項１に記載のセンサ配列。
【請求項１８】
前記少なくとも１つの受信電極の受信電極表面積は、前記電極配列の方向に沿って徐々に増加または減少する、請求項１に記載のセンサ配列。
【請求項１９】
前記少なくとも２つの受信電極の受信電極表面積は、前記電極配列の方向に沿って徐々に増加または減少する、請求項１に記載のセンサ配列。
【請求項２０】
容量タッチおよび非タッチ検出を行う方法であって、前記方法は、交流信号を伝送電極にフィードし、交流電気近接場を発生させることと、所定の数の受信電極と結合されている評価ユニットを非タッチ検出モードとタッチ検出モードとで動作させることとを含み、
前記非タッチ検出モードにおいて、前記評価ユニットは、前記受信電極からの信号を評価し、物体の３次元位置を決定し、
前記タッチ検出モードにおいて、前記所定の数の受信電極によって画定された表面タッチ検出エリアは、複数の区画に分割されており、各区画内で、前記所定の数の受信電極のうちの少なくとも２つの受信電極は、異なる電極表面積比率が前記複数の区画の各々のために形成されるように、それらの電極表面積の一部を用いて寄与し、前記評価ユニットは、前記所定の数の受信電極のうちの種々の少なくとも２つからの信号を評価し、タッチ場所を決定し、少なくとも１つの受信電極または前記伝送電極は、蛇行形状を有する、
方法。
【請求項２１】
各区画は、仮想タッチボタンを画定し、前記仮想タッチボタンの数は、前記電極の数より多い、請求項２０に記載の方法。
【請求項２２】
各区画は、２つの寄与受信電極を備え、区画内の前記２つの寄与受信電極の各々の電極表面積は、第１の表面積および第２の表面積から選択され、前記第１の表面積は、前記第２の表面積より大きい、請求項２０に記載の方法。
【請求項２３】
前記所定の数の受信電極は、５つであり、全５つの受信電極からの信号が、前記非タッチ検出モードにおいて使用される、請求項２０に記載の方法。
【請求項２４】
前記所定の数の電極は、４つであり、全４つの受信電極からの信号が、前記非タッチ検出モードにおいて使用される、請求項２０に記載の方法。
【請求項２５】
前記センサ配列は、前記非タッチモードで動作し、タッチ表面までの所定の閾値距離より近い物体の検出時、前記タッチ検出モードに自動的に切り替わる、請求項２０に記載の方法。
【請求項２６】
前記所定の数の受信電極は、交互配置方式で配列され、前記非タッチジェスチャ検出モードにおいて、前記所定の数の受信電極のうちの４つの受信電極は、フレーム状配列を提供する、請求項２０に記載の方法。
【請求項２７】
仮想タッチボタンのタッチは、前記複数の受信電極からの２つの寄与受信電極によってデコードされる、請求項２０に記載の方法。
【請求項２８】
前記２つの寄与受信電極は、それぞれの受信電極によって受信された信号の信号強度によって前記複数の受信電極から選択される、請求項２７に記載の方法。
【請求項２９】
前記受信電極のうちの２つは、互いに組み合わせられた方式で配列され、各受信電極は、複数のフィンガを有し、各電極のフィンガの幅は、変動させられ、前記方法は、前記受信電極のうちの前記２つからの信号を評価し、スライダ機能を提供することをさらに含む、請求項２０に記載の方法。
【手続補正２】
【補正対象書類名】明細書
【補正対象項目名】０００９
【補正方法】変更
【補正の内容】
【０００９】
方法のさらなる実施形態によると、各区画は、仮想タッチボタンを画定し、仮想タッチボタンの数は、電極の数を上回り得る。方法のさらなる実施形態によると、各区画は、２つの寄与受信電極を備え得る。方法のさらなる実施形態によると、区画内の２つの寄与受信電極の各々の電極表面積は、第１の表面積および第２の表面積から選択されることができ、第１の表面積は、第２の表面積より大きい。方法のさらなる実施形態によると、所定の数の電極は、５つであることができ、全５つの受信電極からの信号は、非タッチ検出モードにおいて使用される。方法のさらなる実施形態によると、所定の数の電極は、４つであることができ、全４つの受信電極からの信号が、非タッチ検出モードにおいて使用される。方法のさらなる実施形態によると、センサ配列は、非タッチモードで動作し、タッチ表面までの所定の閾値距離より近い物体の検出時、タッチ検出モードに自動的に切り替わることができる。方法のさらなる実施形態によると、所定の数の電極は、交互配置方式で配列されることができ、非タッチジェスチャ検出モードにおいて、所定の数の電極のうちの４つの電極は、フレーム状配列を提供する。方法のさらなる実施形態によると、仮想タッチボタンのタッチは、複数の受信電極からの２つの寄与電極によってデコードされることができる。方法のさらなる実施形態によると、２つの寄与電極は、それぞれの受信電極によって受信された信号の信号強度によって複数の電極から選択されることができる。方法のさらなる実施形態によると、受信電極のうちの２つは、互いに組み合わせられた方式で配列されることができ、各受信電極は、複数のフィンガを有し、各電極のフィンガの幅は、変動させられ、方法は、該受信電極のうちの２つからの信号を評価し、スライダ機能を提供することをさらに含む。方法のさらなる実施形態によると、少なくとも１つのＲｘまたはＴｘ電極は、蛇行形状を有し得る。
本願明細書は、例えば、以下の項目も提供する。
（項目１）
伝送電極と、評価ユニットと結合されている所定の数の受信電極とを備えている容量タッチおよび非タッチ検出のためのセンサ配列であって、前記評価ユニットは、非タッチ検出モードと、タッチ検出モードとにおいて動作し、前記伝送電極は、交流電気近接場を発生させ、
前記非タッチ検出モードにおいて、前記評価ユニットは、前記受信電極からの信号を評価し、非タッチジェスチャまたは物体の３次元位置を決定し、
前記タッチ検出モードにおいて、前記所定の数の電極によって画定された表面タッチ検出エリアは、複数の区画に分割されており、各区画内で、前記所定の数の電極のうちの少なくとも２つの電極は、異なる電極表面積比率が前記複数の区画の各々のために形成されるように、それらの電極表面積の一部を用いて寄与する、
センサ配列。
（項目２）
各区画は、仮想タッチボタンを画定し、前記仮想タッチボタンの数は、前記電極の数より多い、項目１に記載のセンサ配列。
（項目３）
各区画は、２つの寄与受信電極を備えている、項目１または２に記載のセンサ配列。
（項目４）
各区画は、３つの寄与受信電極を備えている、項目１または２に記載のセンサ配列。
（項目５）
区画内の前記２つの寄与受信電極の各々の電極表面積は、第１の表面積および第２の表面積から選択され、前記第１の表面積は、前記第２の表面積より大きい、項目３に記載のセンサ配列。
（項目６）
前記所定の数の電極は、５つであり、少なくとも４つの受信電極からの信号が、前記非タッチ検出モードにおいて使用される、項目１−５のいずれか１項に記載のセンサ配列。
（項目７）
前記所定の数の電極は、４つであり、全４つの受信電極からの信号が、前記非タッチ検出モードにおいて使用される、項目１−５のいずれか１項に記載のセンサ配列。
（項目８）
前記センサ配列は、前記非タッチモードで動作し、タッチ表面までの所定の閾値距離より近い物体の検出時、前記タッチ検出モードに自動的に切り替わる、項目１−７のいずれか１項に記載のセンサ配列。
（項目９）
前記所定の数の電極は、交互配置方式で配列され、前記非タッチジェスチャ検出モードにおいて、前記所定の数の電極のうちの４つの電極は、フレーム状配列を提供する、項目１−８のいずれか１項に記載のセンサ配列。
（項目１０）
仮想タッチボタンのタッチは、前記複数の受信電極からの２つの寄与電極によってデコードされる、前記項目２−９のいずれか１項に記載のセンサ配列。
（項目１１）
前記２つの寄与電極は、それぞれの受信電極によって受信された信号の信号強度によって前記複数の電極から選択される、項目１０に記載のセンサ配列。
（項目１２）
前記所定の数の受信電極は、５つであり、前記５つの受信電極は、交互配置方式で配列され、前記複数の区画を提供し、前記区画は、前記表面タッチ検出エリアを覆うマトリクスで配列されている、項目１に記載のセンサ配列。
（項目１３）
前記マトリクスは、５×４区画を提供する、項目１２に記載のセンサ配列。
（項目１４）
前記マトリクスは、３×４区画を提供し、前記５つの受信電極のうちの２つは、追加のスライダ機能を提供する、項目１２に記載のセンサ配列。
（項目１５）
前記受信電極のうちの２つは、互いに組み合わせられた方式で配列され、各受信電極は、複数のフィンガを有し、各電極のフィンガの幅は、スライダ機能を提供するように変動させられている、項目１−１４のいずれか１項に記載のセンサ配列。
（項目１６）
各受信電極は、複数のフィンガを有し、対の受信電極は、ある線に沿って互いに組み合わせられた方式で配列され、隣接する区画の行を形成し、各区画は、仮想ボタンを画定する、項目１−１５のいずれか１項に記載のセンサ配列。
（項目１７）
前記線は、直線である、項目１６に記載のセンサ配列。
（項目１８）
前記線は、曲線である、項目１６に記載のセンサ配列。
（項目１９）
４つの電極が、交互配置方式で配列され、１２のタッチ場所を提供する、項目１に記載のセンサ配列。
（項目２０）
少なくとも１つのＲｘまたはＴｘ電極は、蛇行形状を有する、項目１−１９のいずれか１項に記載のセンサ配列。
（項目２１）
前記伝送電極および所定の数の受信電極は、同一層内に配列されている、項目１−２０のいずれか１項に記載のセンサ配列。
（項目２２）
前記少なくとも１つの電極の電極密度は、前記電極配列の方向に沿って徐々に増加または減少する、項目１−２１のいずれか１項に記載のセンサ配列。
（項目２３）
前記少なくとも２つの電極の電極密度は、前記電極配列の方向に沿って徐々に増加または減少する、項目１−２２のいずれか１項に記載のセンサ配列。
（項目２４）
容量タッチおよび非タッチ検出を行う方法であって、前記方法は、交流信号を伝送電極にフィードし、交流電気近接場を発生させることと、所定の数の受信電極と結合されている評価ユニットを非タッチ検出モードとタッチ検出モードとで動作させることとを含み、
前記非タッチ検出モードにおいて、前記評価ユニットは、前記受信電極からの信号を評価し、物体の３次元位置を決定し、
前記タッチ検出モードにおいて、前記所定の数の受信電極によって画定された表面タッチ検出エリアは、複数の区画に分割されており、各区画内で、前記所定の数の電極のうちの少なくとも２つの電極は、異なる電極表面積比率が前記複数の区画の各々のために形成されるように、それらの電極表面積の一部を用いて寄与し、前記評価ユニットは、前記所定の数の受信電極のうちの種々の少なくとも２つからの信号を評価し、タッチ場所を決定する、
方法。
（項目２５）
各区画は、仮想タッチボタンを画定し、前記仮想タッチボタンの数は、前記電極の数より多い、項目２４に記載の方法。
（項目２６）
各区画は、２つの寄与受信電極を備えている、項目２４または２５に記載の方法。
（項目２７）
区画内の前記２つの寄与受信電極の各々の電極表面積は、第１の表面積および第２の表面積から選択され、前記第１の表面積は、前記第２の表面積より大きい、項目２６に記載の方法。
（項目２８）
前記所定の数の電極は、５つであり、全５つの受信電極からの信号が、前記非タッチ検出モードにおいて使用される、項目２４−２７のいずれか１項に記載の方法。
（項目２９）
前記所定の数の電極は、４つであり、全４つの受信電極からの信号が、前記非タッチ検出モードにおいて使用される、項目２４−２７のいずれか１項に記載の方法。
（項目３０）
前記センサ配列は、前記非タッチモードで動作し、タッチ表面までの所定の閾値距離より近い物体の検出時、前記タッチ検出モードに自動的に切り替わる、項目２４−２９のいずれか１項に記載の方法。
（項目３１）
前記所定の数の電極は、交互配置方式で配列され、前記非タッチジェスチャ検出モードにおいて、前記所定の数の電極のうちの４つの電極は、フレーム状配列を提供する、項目２４−３０のいずれか１項に記載の方法。
（項目３２）
仮想タッチボタンのタッチは、前記複数の受信電極からの２つの寄与電極によってデコードされる、項目２５−３１のいずれか１項に記載の方法。
（項目３３）
前記２つの寄与電極は、それぞれの受信電極によって受信された信号の信号強度によって前記複数の電極から選択される、項目３２に記載の方法。
（項目３４）
前記受信電極のうちの２つは、互いに組み合わせられた方式で配列され、各受信電極は、複数のフィンガを有し、各電極のフィンガの幅は、変動させられ、前記方法は、前記受信電極のうちの前記２つからの信号を評価し、スライダ機能を提供することをさらに含む、項目２４−３３のいずれか１項に記載の方法。
（項目３５）
少なくとも１つのＲｘまたはＴｘ電極は、蛇行形状を有する、項目２４−３４のいずれか１項に記載の方法。